(57)【要約】【課題】  変動磁場による磁気治療効果を有する磁気治療器を提供する。【解決手段】  凸状曲面部を形成した外面と、曲面状の内面を形成した磁石室を有し、磁石室内にはその内部で自由に回転可能な大きさの球状磁石が配置され、凸状曲面部を形成した面とは反対側の外面には貼着部材を貼り付ける貼着面が形成された磁気治療器。【選択図】  図１
0003140334.tif 000002
【実用新案登録請求の範囲】
【請求項１】
凸状曲面部を形成した外面と、曲面状の内面を形成した磁石室を有し、磁石室内にはその内部で自由に回転可能な大きさの球状磁石が配置され、凸状曲面部を形成した面とは反対側の外面には貼着部材を貼り付ける貼着面が形成されたことを特徴とする磁気治療器。
【請求項２】
球状磁石は、中心を通過する軸に沿って着磁されたものであることを特徴とする請求項１記載の磁気治療器。
【請求項３】
貼着面には、貼着面の外周部に広がる粘着層が片面のみに形成した貼着部材が貼り付けられたことを特徴とする請求項１または２記載の磁気治療器。
【考案の詳細な説明】
【技術分野】
【０００１】
本考案は、筋肉のこり、痛み等を和らげ、血流促進、健康増進の目的で使用される磁気治療器に関する。
【背景技術】
【０００２】
磁力による血流促進、健康増進等の目的で使用される磁気治療器が知られている。これらの磁気治療器は、身体の各部に装着するための装着具に取り付けられたり、磁石を貼着用部材によって貼り付けて磁気の作用を利用するものが知られている。
また、小室体の内部空洞内に円盤状の磁石を移動自在に封入したものを身体の一部に貼付する磁気治療器が提案されている。（例えば、特許文献１参照）。
しかしながら、円盤状の磁石であるので小室内で中心軸と垂直方向への移動は可能であるのみで、人体に対して様々な方向に変動する磁場を与えるものではなかった。
【特許文献１】特開２００３−１４４５５８号公報
【考案の開示】
【考案が解決しようとする課題】
【０００３】
本考案は、人体に対して様々な方向に変動する変動磁場を与えることができる磁気治療器を提供することを課題とするものであって、身体の任意の部位に適用することが可能で、取扱が容易で大きな効果が期待できる磁気治療器を提供することを課題とするものである。
【課題を解決するための手段】
【０００４】
本考案は、凸状曲面部を形成した外面と、曲面状の内面を形成した磁石室を有し、磁石室内にはその内部で自由に回転可能な大きさの球状磁石が配置され、凸状曲面部を形成した面とは反対側の外面には貼着部材を貼り付ける貼着面が形成された磁気治療器である。
また、球状磁石は、中心を通過する軸に沿って着磁されたものである前記の磁気治療器である。
貼着面には、貼着面の外周部に広がる粘着層が片面のみに形成した貼着部材が貼り付けられた前記の磁気治療器である。
【考案の効果】
【０００５】
本考案によれば、球状磁石が自由に回転可能な曲面状の底面を有する磁石室内に配置されたものであるので、人体に貼着した場合には、人体の動きによって球状磁石が磁石室内を円滑に回転しながら移動し、人体に対して変動磁場を作用させることができ、また広い範囲に磁力の作用を及ぼすことが可能となり、磁気治療の効果を高めることが期待できる。
また、磁石室が凸状曲面部からなる外面を有しているので、貼着部材によって貼着した場合には、凸条曲面部が人体を押圧してつぼを刺激する効果も期待できる。
【考案を実施するための最良の形態】
【０００６】
以下に、本考案を図面を参照して説明する。
図１は、本考案の磁気治療器の一例を説明する図である。
図１（Ａ）は、本考案の磁気治療器の説明する斜視図であり、図１（Ｂ）は平面図、図１（Ｃ）は、図１（Ｂ）において、Ａ−Ａ’線で切断した断面図である。
図１（Ａ）および（Ｂ）は、透明な材料で作製した本考案の磁気治療器１を説明する図であり、磁石室２は凸状曲面部３を有しており、つば状部４およびその背面の貼着面５から形成されている。磁石室２の内部には、球状磁石６が配置されている。
【０００７】
磁石室２の凸状曲面部３のその内面には凹状内面部７および曲面状壁面８が形成されている。その結果、貼着面５に貼着部材（図示せず）を貼付して、凸状曲面部３を所定の部分に配置した場合には、人体の動きに応じて、磁石室内を自由に移動することによって人体に対して変動磁場を作用させることができる。
更に、貼着部材（図示せず）を使用して貼り付けた場合には、凸状曲面部３が人体に押し当てられることによってつぼ刺激等の指圧効果を与えることができる。
【０００８】
磁石室２を構成する部材は、ポリカーボネート等の合成樹脂を成形することによって製造することができる。特に、合成樹脂材料として透明な材料を使用した場合には、球状磁石の動きを視覚的にも確認することができる。
磁石室２に配置する球状磁石６としては、マンガンアルミニウム磁石、フェライト磁石、あるいはネオジム磁石、サマリウム磁石等の希土類磁石が挙げられるが、特に磁力が大きなネオジム磁石等の希土類磁石を用いることが好ましい。
【０００９】
磁石室２は、内径４ないし６ｍｍ、高さ３ないし５ｍｍとすることができる。磁石室の内径を５ｍｍ、高さを３．８ｍｍとした場合には、球状磁石としては、直径１．０ｍｍ〜２．０ｍｍのものを使用することができる。磁束密度としては、いずれの大きさの球状磁石を使用する場合にも１３５ｍＴ〜１７５ｍＴのものを利用することが好ましい。
磁石室の大きさを一定にして、球状磁石の直径を変えた場合には、直径の小さな磁石ほど、小さな力によって変位が大きくなるので変動磁場が得られやすくなる。変化が大きな変動磁場を求める場合には、径の小さな球状磁石を使用することができ、また変化が小さな変動磁場を求める場合には径の大きな球状磁石を使用することができる。
【００１０】
図２は、本考案の磁気治療器の製造方法を説明する図であり、図２（Ａ）は平面図を示し、図２（Ｂ）は、Ｂ−Ｂ’線の断面を説明する図である。
本考案の磁気治療器１は、合成樹脂の板状体１０の成形によって形成した所定の大きさの複数個の磁石室２のそれぞれに、中心軸に沿って着磁した球状磁石６を装着した後に、貼着面を形成する合成樹脂フィルム１２を粘着剤、熱融着等の方法で接合し、更に、各磁気治療器１を取り出せるように切り込みあるいは薄肉部等からなる易切断部１４を形成することによって製造される。易切断部１４が形成されているので、使用時には取り出し易いものとなる。
以上のような製造方法によって、本考案の磁気治療器は、製造、出荷、使用のいずれの場合にも品質が保持され、また、使用時には取り出し易いものとすることができる。
【００１１】
図３は、本考案の磁気治療器に貼着する貼着部材とその使用方法を説明する図である。
図３（Ａ）は貼着部材側から見た平面図であり、図３（Ｂ）は、貼着部材の粘着層に付着した剥離紙側から見た平面図である。
貼着部材シート２０には、剥離紙２２に複数個の貼着部材２４が所定の間隔で貼り付けられている。一方、剥離紙２２の反対面には、貼着部材２４の中心に相当する部分に、磁気治療器の貼着部の大きさよりも大きな円状切れ込み部２６とそれに連結した直線状切れ込み部２８が形成されている。
【００１２】
図３（Ｂ）においてＡで示すように、剥離紙の円状切れ込み部２６の円状剥離紙を取り除いた後に、磁気治療器１の貼着面を接着した後に、貼着部材２４を剥離紙から剥離することによって、磁気治療器１が貼着部材２４の中心に配置したものを得ることができる。
次いで、磁気治療器を貼着したい個所に貼着面を押し当てることによって磁気治療器１によって磁力線による作用を与えることができる。
【産業上の利用可能性】
【００１３】
本考案の磁気治療器は、内部の壁面に曲面を有し、外面に凸状曲面を有する磁石室内に回転可能な球状磁石を設け、貼着面に貼着部材を配置したので、人体に対して変動磁場による磁気的な作用とともに、凸状曲面によるつぼ刺激効果による指圧効果を与えることができる。
【図面の簡単な説明】
【００１４】
【図１】本考案の磁気治療器の一例を説明する図である。
【図２】図２は、本考案の磁気治療器の製造方法を説明する図である。
【図３】図３は、本考案の磁気治療器に貼着する貼着部材とその使用方法を説明する図である。
【符号の説明】
【００１５】
１…磁気治療器、２…磁石室、３…凸状曲面部、４…つば状部、５…貼着面、６…球状磁石，７…凹状内面部、８… 曲面状壁面、９…ばね、１０…合成樹脂の板状体、１２…合成樹脂フィルム、１４…易切断部、２０…貼着部材シート、２２…剥離紙、２４…貼着部材、２６…円状切れ込み部、２８…直線状切れ込み部
【図１】
0003140334.tif 000003
【図２】
0003140334.tif 000004
【図３】
0003140334.tif 000005